(57)【要約】【課題】ワイパアームのスリム感及びワイパアームのデザイン性が損なわれてしまうことを抑制することができるワイパアームを得る。【解決手段】円弧凸部３４が円弧凹部５６に収容され、該円弧凸部３４の先端に設けられた外周面３４Ａと該円弧凹部５６に設けられた内周面５６Ａとが接触及び摺動することにより、アームヘッド１２とアーム本体１４とが回動可能となるように構成した。これにより、アームヘッド１２とアーム本体１４との連結部付近の材料の肉厚を削減することができワイパアームのスリム感及びワイパアームのデザイン性が損なわれてしまうことを抑制することができる。【選択図】図４
2013056562.tif 000002
【特許請求の範囲】
【請求項１】
一方の端部がピボット軸に固定されたアームヘッドと、
一方の端部が前記アームヘッドの他方の端部に連結され、かつ他方の端部には払拭面を払拭するワイパブレードが連結されたアーム本体と、
前記アームヘッドと前記アーム本体との間に掛け渡され、前記アーム本体を前記払拭面方向へ付勢するスプリングと、
前記アームヘッドの他方の端部及び前記アーム本体の一方の端部のいずれか一方から突出されかつ先端が円弧状の外周面とされた円弧凸部と、
前記アームヘッドの他方の端部及び前記アーム本体の一方の端部のいずれか他方に設けられ前記円弧凸部を収容すると共に前記スプリングの付勢力によって前記外周面に圧接されかつ前記外周面上を摺動する内周面を備え前記アーム本体を前記アームヘッドに対して回動可能に連結する円弧凹部と、
を備えたワイパアーム。
【請求項２】
前記円弧凸部は、前記アームヘッドの他方の端部及び前記アーム本体の一方の端部のいずれか一方から延出された脚部に支持されている請求項１記載のワイパアーム。
【請求項３】
前記円弧凸部は払拭方向に対向して配置された第１接触面及び第２接触面を備え、かつ前記円弧凹部は払拭方向に対向して配置され前記第１接触面上を摺接する第３接触面及び前記第２接触面上を摺接する第４接触面を備えた請求項１又は請求項２記載のワイパアーム。
【請求項４】
前記アーム本体は該アーム本体のロックバック方向への回動を制限するストッパ部を備え、かつ前記ストッパ部が前記脚部に当接することにより前記アーム本体のロックバック状態を維持する請求項２記載のワイパアーム。
【請求項５】
前記円弧凸部の一方の側面と前記脚部の一方の側面とが面一に接続されかつ前記円弧凸部の一方の側面から前記脚部の一方の側面にかけて前記第１接触面が設けられると共に、前記円弧凸部の他方の側面と前記脚部の他方の側面とが面一に接続されかつ前記円弧凸部の他方の側面から前記脚部の他方の側面にかけて前記第２接触面が設けられている請求項３において請求項２を引用するワイパアーム。
【請求項６】
同一軸線方向に並列して設けられた複数の前記円弧凸部及び各円弧凸部をそれぞれ収容する複数の前記円弧凹部を備えた請求項１乃至請求項５いずれか１項に記載のワイパアーム。
【発明の詳細な説明】
【技術分野】
【０００１】
本発明はロックバックが可能なワイパアームに関する。
【背景技術】
【０００２】
従来、アームヘッドとアーム本体との連結部を回動中心として、アーム本体が払拭面に対して接近及び離間する方向に回動するワイパアームが知られている。例えば、下記特許文献１には、アーム本体の側壁に支持された円柱状の軸がアームヘッドに設けられた溝に係止されることにより、アームヘッドとアーム本体とが連結され、該連結部を回動中心として、アーム本体が払拭面と接近及び離間する方向に回動するワイパアームが開示されている。
【先行技術文献】
【特許文献】
【０００３】
【特許文献１】特開２００９−２０２７３０号公報
【発明の概要】
【発明が解決しようとする課題】
【０００４】
しかしながら、従来のワイパアームでは、アーム本体を払拭面方向に付勢するスプリングの付勢力を受けて、アーム本体の側壁と円柱状の軸との接合部には、せん断応力が生じる。従って、該せん断応力に応じた部品強度を確保するために、軸の径を太くしたり、アーム本体の側壁の肉厚を厚くしたりする等の対応が必要であった。これに伴い、ワイパアームが太くなってしまい、ワイパアームのスリム感及びワイパアームのデザイン性が損なわれてしまう。
【０００５】
本発明は上記事実を考慮し、ワイパアームのスリム感及びワイパアームのデザイン性が損なわれてしまうことを抑制することができるワイパアームを得ることが目的である。
【課題を解決するための手段】
【０００６】
請求項１記載の本発明に係るワイパアームは、一方の端部がピボット軸に固定されたアームヘッドと、一方の端部が前記アームヘッドの他方の端部に連結され、かつ他方の端部には払拭面を払拭するワイパブレードが連結されたアーム本体と、前記アームヘッドと前記アーム本体との間に掛け渡され、前記アーム本体を前記払拭面方向へ付勢するスプリングと、前記アームヘッドの他方の端部及び前記アーム本体の一方の端部のいずれか一方から突出されかつ先端が円弧状の外周面とされた円弧凸部と、前記アームヘッドの他方の端部及び前記アーム本体の一方の端部のいずれか他方に設けられ前記円弧凸部を収容すると共に前記スプリングの付勢力によって前記外周面に圧接されかつ前記外周面上を摺動する内周面を備え前記アーム本体を前記アームヘッドに対して回動可能に連結する円弧凹部と、を備えることを特徴とする。
【０００７】
請求項１記載の本発明では、円弧凸部の先端に設けられた外周面が円弧凹部に設けられた円弧状の内周面に接触することにより、スプリングの付勢力を受け止めている。即ち、外周面及び内周面には該スプリングの付勢力を受けることによる垂直応力が作用するが、上記の従来のワイパアームのようなせん断応力は作用しない。従って、せん断強度を確保するために、アームヘッドとアーム本体との連結部付近の材料の肉厚を厚くするという対応が不要である。換言すると、アームヘッドとアーム本体との連結部付近の材料の肉厚を削減することができる。その結果、該連結部付近が太くなることを抑制できることに伴い、ワイパアームのスリム感及びワイパアームのデザイン性が損なわれてしまうことを抑制できる。
【０００８】
請求項２記載の本発明に係るワイパアームは、請求項１記載のワイパアームにおいて、前記円弧凸部は、前記アームヘッドの他方の端部及び前記アーム本体の一方の端部のいずれか一方から延出された脚部に支持されていることを特徴とする。
【０００９】
請求項２記載の本発明では、前記円弧凸部が脚部の先端に設けられている。そのため、延出形成された脚部の角度を調節することにより、アームヘッドに対するアーム本体の回動軸線（円弧凸部の外周面と円弧凹部の内周面による回動中心軸線）位置を変更できる。その結果、付勢スプリングによるアーム本体への付勢方向が切り換る角度位置（節度位置）を変更することができる。
【００１０】
請求項３記載の本発明に係るワイパアームは、請求項１又は請求項２記載のワイパアームにおいて、前記円弧凸部は払拭方向に対向して配置された第１接触面及び第２接触面を備え、かつ前記円弧凹部は払拭方向に対向して配置され前記第１接触面上を摺接する第３接触面及び前記第２接触面上を摺接する第４接触面を備えたことを特徴とする。
【００１１】
請求項３記載の本発明では、上記構成の接触部を備えている。従って、一の方向へアームヘッドが回動することによる該方向へのガタツキが、第１接触面と第３接触面とが接触することによって規制される。反対に、他の方向へアームヘッドが回動することによる該方向へのガタツキが、第２接触面と第４接触面とが接触することによって規制される。その結果、アームヘッドに対するアーム本体の払拭方向（ピボット軸の回動方向）への姿勢が維持され、アームヘッドとアーム本体との連結部が払拭方向へガタツクことを抑制することができる。
【００１２】
請求項４記載の本発明に係るワイパアームは、請求項２記載のワイパアームにおいて、前記アーム本体は該アーム本体のロックバック方向への回動を制限するストッパ部を備え、かつ前記ストッパ部が前記脚部に当接することにより前記アーム本体のロックバック状態を維持することを特徴とする。
【００１３】
請求項４記載の本発明では、上記ストッパ部を備えているため、アーム本体をロックバック位置へ回動させると、ストッパ部が脚部に当接する。換言すると、ストッパ部が脚部に当接することによりアーム本体の起立姿勢を所定の角度位置で維持することができる。
【００１４】
請求項５記載の本発明に係るワイパアームは、請求項３において請求項２を引用するワイパアームにおいて、前記円弧凸部の一方の側面と前記脚部の一方の側面とが面一に接続されかつ前記円弧凸部の一方の側面から前記脚部の一方の側面にかけて前記第１接触面が設けられると共に、前記円弧凸部の他方の側面と前記脚部の他方の側面とが面一に接続されかつ前記円弧凸部の他方の側面から前記脚部の他方の側面にかけて前記第２接触面が設けられていることを特徴とする。
【００１５】
請求項５記載の本発明では、第１接触面及び第２接触面が円弧凸部の側面から脚部の側面に掛けて面一に接続されている。そのため、アームヘッドとアーム本体との連結部が払拭方向へガタツクことをより一層抑制することができると共に、アームヘッドに対するアーム本体の払拭方向への支持強度をさらに向上させることができる。
【００１６】
請求項６記載の本発明に係るワイパアームは、請求項１乃至請求項５いずれか１項に記載のワイパアームにおいて、同一軸線方向に並列して設けられた複数の前記円弧凸部及び各円弧凸部をそれぞれ収容する複数の前記円弧凹部を備えたことを特徴とする。
【００１７】
請求項６記載の本発明では、複数の円弧凸部が並列に設けられ、またこの円弧凸部を収容する複数の円弧凹部が設けられているため、１つの円弧凸部が支持する荷重を比較的小さくすることができる。従って、アームヘッドとアーム本体との連結部の払拭方向への支持強度を向上させることができる。
【図面の簡単な説明】
【００１８】
【図１】ワイパアームを示す側面図である。
【図２】（Ａ）はアームヘッドを示す斜視図であり、（Ｂ）はアームヘッドの側面図であり、（Ｃ）はアームヘッドの平面図である。
【図３】アーム本体（リテーナ）の基端部を示す拡大斜視図である。
【図４】（Ａ）はアームヘッドとアーム本体との連結部を示す側面視の断面図であり、（Ｂ）はアームヘッドとアーム本体との連結部を示す正面視の断面図である。
【図５】（Ａ）はワイパ本体が払拭面に付勢された状態における、アームヘッドとアーム本体との連結部を示す側面視の断面図であり、（Ｂ）はアーム本体がロックバックされた状態における、アームヘッドとアーム本体との連結部を示す側面視の断面図である。
【図６】（Ａ）はアームヘッドを示す斜視図であり、（Ｂ）はアームヘッドの側面図であり、（Ｃ）はアームヘッドの平面図である。
【図７】アーム本体（リテーナ）の基端部を示す拡大斜視図である。
【図８】（Ａ）はアームヘッドを示す斜視図であり、（Ｂ）はアームヘッドの側面図であり、（Ｃ）はアームヘッドの平面図である。
【図９】アーム本体（リテーナ）の基端部を示す拡大斜視図である。
【図１０】アームヘッドとアーム本体との連結部を示す正面視の断面図である。
【発明を実施するための形態】
【００１９】
図１〜図５を用いて、本発明の実施形態に係るワイパアームについて説明する。
【００２０】
図１に示されるように、本実施形態のワイパアーム１０は、一方の端部（基端側）がピボット軸に固定されたアームヘッド１２と、一方の端部（基端側）がアームヘッド１２の他方の端部（先端側）に連結され、かつ他方の端部（先端側）には払拭面を払拭するワイパブレード６６が連結されたアーム本体１４と、備えている。また、図４（Ａ）に示されるように、ワイパアーム１０は、アームヘッド１２とアーム本体１４との間に掛け渡され、アーム本体１４を払拭面方向へ付勢するスプリング１６を備えている。以下、ワイパアーム１０を構成する各々の要素について説明する。
【００２１】
（アームヘッド）
図２（Ａ）に示されるように、アームヘッド１２は、一体に形成されたアルミダイキャスト部品である。具体的には、図２（Ｂ）に示されるように、アームヘッド１２は、側面視で左右方向に延在する基部１８を備えている。基部１８の側面視右側の端部（基端側）には、ワイパアームの回動軸であるピボット軸（図示省略）が挿通される貫通孔２０が形成されている。また、基部１８の側面視左側の端部（先端側）には、後述するスプリング１６が係止される係止孔２２が形成されており、係止孔２２の側面視左側の壁面は湾曲面２２Ａとされている。さらに、アームヘッド１２は、基部１８の側面視左側の端部から、斜め左上方向に延在する脚部２４を備えている。図２（Ａ）に示されるように、脚部２４の基部１８側の端部は、二股に分岐された第１脚部２６及び第２脚部２８とされており、該第１脚部２６及び第２脚部２８と基部１８とで囲まれた部分は、後述するスプリング１６の端部が逃げるスプリング逃げ孔３０とされている。また、脚部２４の先端側は、二股に分岐された第１脚部２６と第２脚部２８とが合流して角柱状に形成された第３脚部３２とされており、さらに第３脚部３２の先端には、該第３脚部３２が延在する方向と直交する方向（払拭方向）を軸線方向とする円柱体の円弧凸部３４が設けられている。この円柱体の円弧凸部３４の側壁面は円弧状の外周面３４Ａとされており、また図２（Ｃ）に示されるように、平面視で該円弧凸部３４の左右それぞれに配置された面は円形の側面３４Ｂ及び側面３４Ｃとされている。即ち、外周面３４Ａは払拭方向と略平行な後述する回動軸線Ｙを中心とする円周面の一部として配置され、側面３４Ｂ及び側面３４Ｃは払拭方向に対向して配置されている。さらに、側面３４Ｂは後述する円弧凹部５６の第３接触面５８と当接する第１接触面３６とされており、また側面３４Ｃは後述する円弧凹部５６の第４接触面６０と当接する第２接触面３８とされている。また、第３脚部３２の上面は、後述するリテーナ４８のストッパ部６２と当接する当接部３２Ａとされている。さらに、アームヘッド１２には、リブ４０，４２が第３脚部３２と円弧凸部３４との接合部４４に隣接して設けられている。なお、図１に示されるように、アームヘッド１２には、該アームヘッド１２をカバーするカバー部材４６が取付けられる。
【００２２】
（アーム本体）
アーム本体１４は、意匠面５２が穏やかに湾曲して形成された長尺状の樹脂成型部品であり、その先端には後述するワイパブレード６６が取付けられる取付部５４が形成されている。さらに、図３に示されるように、アーム本体１４の基端部Ａには、上記アームヘッド１２に設けられた円弧凸部３４を収容すると共に、アームヘッド１２とアーム本体１４とを回動可能に連結するための円弧凹部５６が形成されている。円弧凹部５６は、側面視で略扇形の凹溝が形成されることにより構成され、その凹溝の開口方向に面を臨む円弧状の内周面５６Ａ及び該内周面５６Ａの両端部からそれぞれ該凹溝の開口方向に延在する側壁５６Ｂ及び側壁５６Ｃを備えている。また、この円弧凹部５６は上記アームヘッド１２に設けられた円弧凸部３４に対応した形状とされている。従って、内周面５６Ａは円弧凸部３４の外周面３４Ａと略同一の曲率とされ、また、一方の側壁５６Ｂが円弧凸部３４の側面３４Ｂ（第１接触面３６）と当接する第３接触面５８とされており、他方の側壁５６Ｃが円弧凸部３４の側面３４Ｃ（第２接触面３８）と当接する第４接触面６０とされている。また、アーム本体１４の基端部Ａには、上記円弧凹部５６の開口端から延出形成されたストッパ部６２を備えている。このストッパ部６２がアームヘッド１２の当接部３２Ａに当接することによりアーム本体１４のロックバック位置が規制される構成である。さらに、図４に示されるように、アーム本体１４の基端部には、後述するスプリング１６が係止される係止部６４が形成されている。  
【００２３】
以上説明した円弧凸部３４が円弧凹部５６に収容され、該円弧凸部３４の先端に設けられた外周面３４Ａと該円弧凹部５６に設けられた内周面５６Ａとが摺動することにより、アームヘッド１２に対してアーム本体１４が円弧凸部３４回りに回動可能となる構成である。
【００２４】
（スプリング）
図４（Ａ）に示されるように、スプリング１６は所謂引張りコイルスプリングとされており、スプリング１６の両端部にはそれぞれＵ字状に湾曲した係止部１６Ａ及び係止部１６Ｂが形成されている。このうち係止部１６Ａが上記アームヘッド１２の係止孔２２に係止され、また係止部１６Ｂがアーム本体１４の係止部６４に係止されることにより、該スプリング１６には圧縮方向への付勢力が生じる。この付勢力を受けて、アーム本体１４が払拭面方向に付勢されると共に、上記円弧凸部３４の外周面３４Ａが円弧凹部５６の内周面５６Ａに付勢力で押付けられる構成である。
【００２５】
また、図５に示されるように、アームヘッド１２とアーム本体１４との回動軸線Ｙとアームヘッドのスプリング係止点Ｐ１とを結ぶ直線Ｌよりも起立方向（矢印Ｂ方向）にアーム本体１４のスプリング係止点Ｐ２が位置するようにアーム本体１４を回動させると、スプリング１６の付勢力は、アーム本体１４を払拭面から離間する方向への付勢方向に切り換り、アーム本体１４の払拭面から離間する方向への回動力として作用する。その結果、ストッパ部６２が当接部３２Ａに当接する。即ち、スプリングの付勢力によって、ストッパ部６２が当接部３２Ａに付勢されることにより、アーム本体１４が所定の起立姿勢位置、所謂ロックバック位置に規制される構成である。
【００２６】
次に、ワイパアーム１０の先端に取付けられ、払拭面を払拭するワイパブレード６６について説明する。
【００２７】
（ワイパブレード）
図１に示されるように、ワイパブレード６６は、払拭面に接触して払拭するブレードラバー６８と、このブレードラバー６８を保持する複数の保持レバーとによって構成されている。複数の保持レバーのうち、プライマリレバー７０は、一対の側壁及び上壁によって断面コ字状に形成されており、このコ字状の開口側が払拭面側へ向けて配置されている。また、プライマリレバー７０の長手方向中央部には、上壁が開口しており連結軸６７が一対の側壁に掛け渡されている。この連結軸６７にアーム本体１４の先端に形成された取付部５４が連結されることにより、プライマリレバー７０がアーム本体１４に回動可能に保持される構成である。また、プライマリレバー７０の両端部には、セカンダリレバー７４がそれぞれ回転可能に支持されており、ブレードラバー６８が該セカンダリレバー７４の両端部に設けられた保持爪によって保持される構成である。
【００２８】
（本実施形態の作用並びに効果）
次に、本実施形態の作用並びに効果について説明する。
【００２９】
ワイパモータを作動させると、ピボットシャフトの回動に伴って、ワイパアーム１０が往復回動する。これにより、ワイパアーム１０の先端に設けられたワイパブレード６６がウィンドシールドガラスに付着した水滴等を払拭する。
【００３０】
ここで、本実施形態のワイパアーム１０では、アームヘッド１２とアーム本体１４との連結部において、上記円弧凸部３４の先端に設けられた外周面３４Ａが円弧凹部５６に設けられた内周面５６Ａに接触することにより、スプリング１６の付勢力を受け止めている。即ち、外周面３４Ａ及び内周面５６Ａには該スプリング１６の付勢力を受けることによる垂直応力が作用するが、せん断応力は作用しない。ここで、材料の圧縮（引張）強度とせん断強度とを比較すると、一般的に圧縮（引張）強度の方が高い。即ち、本実施形態では、上記の位置にせん断応力が生じていないため、アームヘッド１２とアーム本体１４との連結強度を向上させることが可能となる。その結果、アームヘッドとアーム本体との連結部付近の材料の肉厚を削減することができる。換言すると、該連結部付近が太くなることを抑制できることに伴い、ワイパアームのスリム感及びワイパアームのデザイン性が損なわれてしまうことを抑制でき、スリムかつデザイン性に優れたワイパアーム１０を得ることができる。
【００３１】
また、本実施形態のワイパアーム１０では、上記第１接触面３６乃至第４接触面６０を備えている。従って、図４（Ｂ）に示された矢印Ｃ及び矢印Ｄ方向へアームヘッドが回動することによる該方向へのガタツキが、第１接触面３６と第３接触面５８及び第２接触面３８と第４接触面６０とが当接することによって規制される。その結果、アームヘッド１２に対するアーム本体１４の払拭方向（矢印Ｃ及び矢印Ｄ方向）への姿勢が維持され、払拭方向へのガタツキを抑制することができる。
【００３２】
さらに、本実施形態のワイパアーム１０では、上記当接部３２Ａ及びストッパ部６２を備えているため、アーム本体１４をロックバック位置へ回動させると、ストッパ部６２が当接部３２Ａに当接する。換言すると、ストッパ部６２が当接部３２Ａに当接することによりロックバック時のアーム本体の起立姿勢を所定の角度位置で維持することができる。
【００３３】
また、本実施形態のアームヘッド１２には、リブ４０，４２が第３脚部３２と円弧凸部３４との接合部４４に隣接して設けられているため、ワイパアーム１０が払拭方向へ回動することに伴い、該接合部４４に生じる局所的な応力集中を避けることができる。
【００３４】
＜第１変形例＞
次に、図６〜図７を用いて、アームヘッド及びアーム本体の第１変形例について説明する。なお、上記実施形態と同一の部材については同一の符号を付して、その説明を省略する。
【００３５】
図６に示されるように、本変形例に係るアームヘッド１２は、アームヘッド１２の円弧凸部３４の側面３４Ｂ及び側面３４Ｃが第３脚部３２の側面３２Ｂ及び側面３２Ｃと同一平面上に配置（側面３４Ｂ及び側面３４Ｃが第３脚部３２の側面３２Ｂ及び側面３２Ｃと面一に連続して接続）されていることに特徴がある。また、円弧凸部３４の側面３４Ｂ及び第３脚部３２の側面３２Ｂは第１接触面３６とされており、円弧凸部３４の側面３４Ｃ及び第３脚部３２の側面３２Ｃは第２接触面３８とされている。換言すると、円弧凸部３４の外周面３４Ａから第３脚部３２の側面３２Ｂに掛けて第１接触面３６が設けられ、さらに外周面３４Ａから第３脚部３２の側面３２Ｃに掛けて第２接触面３８が設けられている構成である。
【００３６】
また、図７に示されるように、アーム本体１４を構成するリテーナ４８の基端部Ａには、上記アームヘッド１２の円弧凸部３４及び第３脚部３２の形状に対応するように円弧凹部５６が形成されている。具体的には、上記円弧凸部３４の側面３４Ｂ及び第３脚部３２の側面３２Ｂと対向するように側壁５６Ｂが設けられ、円弧凸部３４の側面３４Ｃ及び第３脚部３２の側面３２Ｃと対向するように側壁５６Ｃが設けられている。また、側壁５６Ｂは上記第１接触面３６と当接する第３接触面５８とされており、側壁５６Ｃは上記第２接触面３８と当接する第４接触面６０とされている。
【００３７】
以上説明した円弧凸部３４及び第３脚部３２が円弧凹部５６に収容され、該円弧凸部３４の先端に設けられた外周面３４Ａと該円弧凹部５６に設けられた内周面５６Ａとが接触及び摺動することにより、アームヘッド１２とアーム本体１４とが回動可能となる構成である。
【００３８】
（本変形例の作用並びに効果）
次に、本変形例の作用並びに効果について説明する。
【００３９】
本変形例では、上記構成の円弧凸部３４及び円弧凹部５６を備えているため、上記実施形態のワイパアーム１０で得られた効果に加え、以下の効果を得ることができる。
【００４０】
本変形例のアームヘッド１２及びアーム本体１４を備えたワイパアームでは、円弧凸部３４の外周面３４Ａの両端部３４Ｄ，３４Ｅから第３脚部３２の側面３２Ｂ，３２Ｃに掛けて第１接触面３６及び第２接触面３８が設けられているため、アーム本体１４が払拭方向に回動した際に、第１接触面３６及び第２接触面３８が第３接触面５８及び第４接触面６０から受ける荷重をより広い面積で受け止めることができる。換言すると、アームヘッドに対するアーム本体の払拭方向（ピボット軸の回動方向）への支持強度を向上させることができる。
【００４１】
また、第１接触面３６及び第２接触面３８が第３脚部３２の側面３２Ｂ及び側面３２Ｃに掛けて設けられているため、アームヘッド１２はアーム本体１４をより長手の面で支持することができる。即ち、アームヘッド１２に対するアーム本体１４の払拭方向への倒れをより抑制することができる。
【００４２】
さらに本変形例では、円弧凸部３４の外周面３４Ａの両端部３４Ｄ，３４Ｅから第３脚部３２の側面３２Ｂ，３２Ｃに掛けて第１接触面３６及び第２接触面３８が設けられているため、アームヘッド１２とアーム本体１４とを連結する軸構造をよりスリム化できる。その結果、よりワイパアーム全体のデザインを基端部から先端部にかけてスリムにデザインすることができる。
【００４３】
＜第２変形例＞
次に、図８〜図１０を用いて、アームヘッド及びアーム本体の第２変形例について説明する。なお、上記実施形態と同一の部材については同一の符号を付して、その説明を省略する。
【００４４】
図８及び図９に示されるように、本変形例では、２つの円弧凸部８０，８２がアームヘッド１２に設けられ、またこの２つの円弧凸部８０，８２を収容する円弧凹部８４，８６がアーム本体１４の基端部Ａに設けられている点に特徴がある。
【００４５】
図８（Ａ）及び（Ｂ）に示されるように、アームヘッド１２は、基部１８の側面視左側（先端側）の端部から、斜め左上方向に延在する第１脚部８８及び第２脚部９０を供えており、第１脚部８８及び第２脚部９０は回動軸線Ｙ方向に互いに離間して平行に対向配置されている。また、アームヘッド１２は、第１脚部８８と第２脚部９０とを繋ぐ連結部９２を備えている。この連結部９２、第１脚部８８、第２脚部９０及び基部１８により囲まれた部分は、スプリング１６が逃げるスプリング逃げ孔９４とされている。また、第１脚部８８及び第２脚部９０の先端側は角柱状に形成されており、さらに第１脚部８８及び第２脚部９０の先端には、それぞれ第１脚部８８及び第２脚部９０が延在する方向と直交する方向を同一の軸線方向とする円柱体の円弧凸部８０及び円弧凸部８２が並列に設けられている。この円柱体の円弧凸部８０の側壁面は円弧状の外周面８０Ａとされており、また図８（Ｃ）に示されるように、平面視で該円弧凸部８０の左右それぞれに配置された面は円形の側面８０Ｂ及び側面８０Ｃとされている。また、円弧凸部８０と同様に、円柱体の円弧凸部８２の側壁面は円弧状の外周面８２Ａとされており、また平面視で該円弧凸部８２の左右それぞれに配置された面は円形の側面８２Ｂ及び側面８２Ｃとされている。さらに、円弧凸部８０の側面８０Ｂ及び側面８０Ｃはそれぞれ第１脚部８８の側面８８Ａ及び側面８８Ｂと同一平面上に配置（側面８０Ｂ及び側面８０Ｃはそれぞれ第１脚部８８の側面８８Ａ及び側面８８Ｂと面一に連続して接続）されており、円弧凸部８２の側面８２Ｂ及び側面８２Ｃはそれぞれ第２脚部９０の側面９０Ａ及び側面９０Ｂと同一平面上に配置（側面８２Ｂ及び側面８２Ｃはそれぞれ第２脚部９０の側面９０Ａ及び側面９０Ｂと面一に連続して接続）されている。さらに、円弧凸部８０の側面８０Ｂ及び第１脚部８８の側面８８Ａは、後述する円弧凹部８４の第３接触面１００と当接する第１接触面９６とされており、円弧凸部８０の側面８０Ｃ及び第１脚部８８の側面８８Ｂは、後述する円弧凹部８４の第４接触面１０２と当接する第２接触面９８とされている。また、円弧凸部８２の側面８２Ｂ及び第２脚部９０の側面９０Ａは、後述する円弧凹部８６の第７接触面１０８と当接する第５接触面１０４とされており、円弧凸部８２の側面８２Ｃ及び第２脚部９０の側面９０Ｂは、後述する円弧凹部８６の第８接触面１１０と当接する第６接触面１０６とされている。
【００４６】
図９に示されるように、アーム本体１４の基端部Ａには、上記アームヘッド１２の円弧凸部８０及び円弧凸部８２を収容すると共に、アームヘッド１２とアーム本体１４とを回動可能に連結するための円弧凹部８４及び円弧凹部８６が形成されている。
【００４７】
円弧凹部８４は、略扇形の凹溝が形成されることに構成され、その凹溝の開口方向に面を臨む円弧状の内周面８４Ａ及び該内周面８４Ａの両端部からそれぞれ該凹溝の開口方向に延在する側壁８４Ｂ及び側壁８４Ｃを備えている。また、この円弧凹部８４は上記アームヘッド１２に設けられた円弧凸部８０に対応した形状とされている。従って、内周面８４Ａは円弧凸部８０の外周面８０Ａと略同一の曲率とされ、また、一方の側壁８４Ｂが円弧凸部８０の側面８０Ｂ及び第１脚部８８の側面８８Ａ（第１接触面９６）と当接する第３接触面１００とされており、他方の側壁８４Ｃが円弧凸部８０の側面８０Ｃ及び第１脚部８８の側面８８Ｂ（第２接触面９８）と当接する第４接触面１０２とされている。
【００４８】
また、円弧凹部８４と同様に、円弧凹部８６は、略扇形の凹溝が形成されることに構成され、その凹溝の開口方向に面を臨む円弧状の内周面８６Ａ及び該内周面８６Ａの両端部からそれぞれ該凹溝の開口方向に延在する側壁８６Ｂ及び側壁８６Ｃを備えている。また、この円弧凹部８６は上記アームヘッド１２に設けられた円弧凸部８２に対応した形状とされている。従って、内周面８６Ａは円弧凸部８２の外周面８２Ａと略同一の曲率とされ、また、一方の側壁８６Ｂが円弧凸部８２の側面８２Ｂ及び第２脚部９０の側面９０Ａ（第５接触面１０４）と当接する第７接触面１０８とされており、他方の側壁８６Ｃが円弧凸部８２の側面８２Ｃ及び第２脚部９０の側面９０Ｂ（第６接触面１０６）と当接する第８接触面１１０とされている。
【００４９】
以上説明した円弧凸部８０及び円弧凸部８２がそれぞれ円弧凹部８４及び円弧凹部８６に収容され、円弧凸部８０及び円弧凸部８２の先端に設けられた外周面８０Ａ及び外周面８２Ａと円弧凹部８４及び円弧凹部８６に設けられた内周面８４Ａ及び内周面８６Ａとが摺動することにより、アームヘッド１２に対してアーム本体１４が円弧凹部８４及び円弧凹部８６回りに回動可能となる構成である。
【００５０】
（本変形例の作用並びに効果）
次に、本変形例形態の作用並びに効果について説明する。
【００５１】
本変形例のアームヘッド１２及びアーム本体１４を備えたワイパアームでは、上記実施形態のワイパアーム１０で得られた効果に加え、以下の効果を得ることができる。
【００５２】
本変形例では、２つの円弧凸部８０及び円弧凸部８２が並列に設けられ、またこの円弧凸部を収容する２つの円弧凹部８４及び円弧凹部８８６が設けられているため、１つの円弧凸部が支持する荷重を比較的小さくすることができる。具体的には、ワイパアームが作動している状態において、アームヘッド１２とアーム本体４８との連結部に生じる荷重を、上記２つの円弧凸部８０及び円弧凸部８２に分担して受け止めることができる。従って、アームヘッドとアーム本体との連結部の払拭方向への支持強度を向上させることができる。
【００５３】
また、本変形例では、上記第１接触面乃至第８接触面を備えている。従って、図１０に示された矢印Ｃ及び矢印Ｄ方向へアームヘッドが回動することによる該方向へのガタツキが、第１接触面９６と第３接触面１００、第５接触面１０４と第７接触面１０８、第２接触面９８と前記第４接触面１０２、第６接触面１０６と第８接触面１１０とが接触することによって規制される。その結果、アームヘッド１２に対するアーム本体１４の払拭方向（矢印Ｃ及び矢印Ｄ方向）への姿勢が維持され、払拭方向へのガタツキをより一層抑制することができる。
【００５４】
なお、本実施形態では、アームヘッドの基部と円弧凸部との間に脚部を設けた例について説明してきたが、例えば、基部の端部から円弧凸部が直接突出形成された構造にしても良い。
【００５５】
また、本実施形態では、アームヘッドに設けられた円弧凸部とアーム本体に設けられた円弧凹部とにより、アームヘッドとアーム本体とを回動可能に連結した例について説明してきたが、本発明はこれに限定されず、例えば、アームヘッドに円弧凹部を設け、またアーム本体に円弧凸部を設けることにより、アームヘッドとアーム本体とを回動可能に連結した構成としても良い。
【００５６】
さらに、本実施形態では、アーム本体の材料として樹脂材料を用い、アームヘッドの材料としてアルミニウム合金を用いた例について説明してきたが、本発明はこれに限定されず、例えば、アーム本体及びアームヘッドの材料としていずれも樹脂材料又は金属材料を用いても良い。このように、材料の選択は部品強度や重量等を考慮して適宜設定すればよい。
【００５７】
以上、本発明の一実施形態について説明したが、本発明は、上記に限定されるものでなく、その主旨を逸脱しない範囲内において上記以外にも種々変形して実施することが可能であることは勿論である。
【符号の説明】
【００５８】
１０      ワイパアーム
１２      アームヘッド
１４      アーム本体
１６      スプリング
３２      第３脚部（脚部）
３２Ａ    当接部
３２Ｂ    側面
３２Ｃ    側面
３４      円弧凸部
３４Ａ    外周面
３４Ｂ    側面
３４Ｃ    側面
３６      第１接触面
３８      第２接触面
５６      円弧凹部
５６Ａ    内周面
５８      第３接触面
６０      第４接触面
６６      ワイパブレード
８０      円弧凸部
８０Ａ    外周面
８２      円弧凸部
８２Ａ    外周面
８４      円弧凹部
８４Ａ    内周面
８６      円弧凹部
８６Ａ    内周面
９６      第１接触面
９８      第２接触面
１００      第３接触面
１０２      第４接触面
１０４      第５接触面
１０６      第６接触面
１０８      第７接触面
１１０      第８接触面
【図１】
2013056562.tif 000003
【図２】
2013056562.tif 000004
【図３】
2013056562.tif 000005
【図４】
2013056562.tif 000006
【図５】
2013056562.tif 000007
【図６】
2013056562.tif 000008
【図７】
2013056562.tif 000009
【図８】
2013056562.tif 000010
【図９】
2013056562.tif 000011
【図１０】
2013056562.tif 000012